(57)【要約】【課題】閉鎖装置の破損による定位失効を防ぐ閉鎖装置の圧接構造を提供する。【解決手段】本考案の閉鎖装置の圧接構造は、嵌止体１０と、定位フック１２と、嵌合ボルト１４とを備える。嵌止体１０は、圧接面１６と圧接面１６から延伸する案内面１８とを含む。定位フック１２は、嵌止体１０に連接し、弾力部２０と弾力部２０から延伸する制止体２２とを含み、制止体２２は圧接面１６に相隣し案内面１８から離れている。前記嵌合ボルト１４は、嵌止体１０に対応し、圧接面１６と定位フック１２の制止体２２をスライドして圧する。嵌合ボルト１４が圧接面１６と制止体２２を強い力で圧する時、制止体２２は、弾力部２０の湾曲変形を受けて嵌合ボルト１４に押されて移動するため、嵌合ボルト１４は、制止体２２を越えて圧接面１６から離脱する。【選択図】図１
0003169532.tif 000002
【実用新案登録請求の範囲】
【請求項１】
圧接面と圧接面から延伸する案内面とを含む嵌止体と、
嵌止体に連接し、弾力部と弾力部から延伸する制止体とを含み、
制止体は圧接面に相隣し案内面から離れている定位フックと、嵌止体に対応し、圧接面と定位フックの制止体をスライドして圧し、制止体が弾力部の湾曲変形を受けて位置移動することにより、制止体を越えて圧接面から離脱する嵌合ボルトとを備えることを特徴とする閉鎖装置の圧接構造。
【請求項２】
前記定位フックは、嵌止体から一体化して延伸することを特徴とする請求項１に記載の閉鎖装置の圧接構造。
【請求項３】
前記定位フックの鄰側に緩衝空間を形成して、定位フックの弾力部は緩衝空間内を可動することを特徴とする請求項２に記載の閉鎖装置の圧接構造。
【請求項４】
前記嵌止体には挿入ノッチを備え、定位フックは挿入結合柱に連結して独立した鉤状部材を構成し、定位フックと挿入結合柱間には緩衝空間を備え、鉤状部材は挿入結合柱によって挿入ノッチに挿入し、嵌止体に固定されることを特徴とする請求項１に記載の閉鎖装置の圧接構造。
【請求項５】
前記閉鎖装置の圧接構造には、さらに、挿入ノッチに連結する凹溝を含み、挿入結合柱には突出体を備え、挿入結合柱と挿入ノッチの挿入結合は、突出体を凹溝に対して位置合わせすることを特徴とする請求項４に記載の閉鎖装置の圧接構造。
【請求項６】
前記挿入結合柱の端部には開口を設けて二つの挿入足を形成し、少なくとも一つの挿入足には突出部を配置することを特徴とする請求項４に記載の閉鎖装置の圧接構造。
【考案の詳細な説明】
【技術分野】
【０００１】
本考案は、閉鎖装置の圧接構造に係り、特に、二つの家具パーツ間に応用する閉鎖装置の圧接構造であり、二つの家具パーツの任意の一パーツが開鎖しない場合に、閉鎖装置を破損し定位が失効するのを防ぐ閉鎖装置の圧接構造に関する。
【背景技術】
【０００２】
Ｂｒｕｎｎｅｒｔにより考案された特許文献１（米国特許第５，０４０，８３３号）の「ｃｌｏｓｉｎｇ  ｄｅｖｉｃｅ  ｆｏｒ  ａ  ｄｒａｗｅｒｓ」において、開示された家具物品上に取り付ける引き出しは、家具物品の閉鎖位置及び開鎖位置間を可動して位置移動するものであり、引き出しと家具物品間に配置したスプリングと、家具物品に取り付ける閉鎖装置と、フック端（ｈｏｏｋ−ｓｈａｐｅｄ  ｅｎｄ  ９’）を備えるホールディング部材（ｈｏｌｄｉｎｇ  ｍｅｍｂｅｒ  ９）と、引き出しに取り付け、二つの上昇エリア（ｒａｉｓｅｄ  ａｒｅａｓ  １２，  １３）を備える板材形状構造であるラッチ部材（ｌａｔｃｈ  ｍｅｍｂｅｒ  １１）とを含む。前記上昇エリア（ｒａｉｓｅｄ  ａｒｅａｓ  １２）はノッチ（ｎｏｔｃｈ  １４）とし、引き出しが閉鎖位置にある時、ラッチ部材のノッチとホールディング部材のフック端は相互に嵌止する。また、二つの上昇エリアはホールディング部材を案内するための二つの異なる案内トレースとする。引き出しが家具物品に対して開鎖及び閉鎖して移動する時、ホールディング部材は、前述した異なる案内トレースに案内されて湾曲する。引き出しが家具物品に対して強制的に引っ張り出された時、ホールディング部材は湾曲変形してそのフック端がラッチ部材のノッチ（ｎｏｔｃｈ  １４）から強制的に離脱する。既に閉鎖している引き出し方向に外力がかけられた時、ホールディング部材は、そのフック端によって可動し、ラッチ部材との嵌止を解除するため、引き出しは、弾性部材が生じる弾力に応じて、対応する家具本体から弾じ出て開鎖する。
【０００３】
前記特許案により開示された引き出しの閉鎖装置は、正常使用方式では押す力によって引き出しを開鎖するが、不正常な使用方式では、例えば、引っ張る力によって引き出しを開鎖する場合、ホールディング部材が湾曲し、そのフック端がラッチ部材のノッチ（ｎｏｔｃｈ  １４）から強制的に離脱する。しかし、ラッチ部材のノッチ（ｎｏｔｃｈ  １４）が強制離脱する過程において、ホールディング部材のフック端は強い摩擦接触を受けるため、強く引っ張られる操作を数度繰り返した後は、ノッチとホールディング部材の接触箇所が摩損し、ホールディング部材はラッチ部材のノッチ（ｎｏｔｃｈ  １４）から離脱し易くなり、定位の効力を失なうことになる。
【０００４】
よって、前記欠点を改善すべく、さらに好ましい設計の閉鎖装置の提供が必要である。
【先行技術文献】
【特許文献】
【０００５】
【特許文献１】米国特許第５，０４０，８３３号明細書
【考案の概要】
【考案が解決しようとする課題】
【０００６】
本考案は、前記欠点に鑑み、二つの家具パーツ間に応用し、二つの家具パーツの任意の一パーツが開鎖しない場合に、閉鎖装置を破損し定位が失効するのを防ぐ閉鎖装置の圧接構造を提供する。
【課題を解決するための手段】
【０００７】
本考案は、閉鎖装置の圧接構造に関し、特に、二つの家具パーツ間に応用する閉鎖装置の圧接構造である。前記圧接構造には、圧接面を備え、定位フックの制止体及びその弾力部の働きにより、一構成要素は安定状態で圧接面を圧しており、前記構成要素が外力を受け、構成要素が相対する圧接面と制止体を強い力で圧する時、制止体は弾力部の撓曲変形の働きによって、構成要素を圧接面から離脱させる。
【０００８】
本考案の観点に基づく閉鎖装置の圧接構造において、圧接構造は、圧接面と圧接面から延伸する案内面とを含む嵌止体と、嵌止体に連接し、弾力部と弾力部から延伸する制止体とを含み、尚且つ、制止体は圧接面に相隣し案内面から離れている定位フックと、嵌止体に対応し、尚且つ、圧接面と定位フックの制止体をスライドして圧する嵌合ボルトとを備える。前記嵌合ボルトが圧接面と制止体を強い力で圧する時、制止体は、弾力部の湾曲変形を受けて嵌合ボルトに押されて移動するため、嵌合ボルトは、制止体を越えて圧接面から離脱する。
【０００９】
最も好ましいのは、定位フックが嵌止体から一体化延伸することである。
【００１０】
最も好ましいのは、定位フックの鄰側に緩衝空間を形成して、定位フックの弾力部は緩衝空間内を可動することである。
【００１１】
最も好ましいのは、嵌止体に挿入ノッチを備え、定位フックは挿入結合柱に連結して独立した鉤状部材を構成し、定位フックと挿入結合柱間に緩衝空間を備え、鉤状部材は挿入結合柱によって挿入ノッチに挿入し、嵌止体に固定されることである。
【００１２】
最も好ましいのは、さらに、挿入ノッチに連結する凹溝を含み、挿入結合柱には突出体を備え、挿入結合柱と挿入ノッチの挿入結合は、突出体を凹溝に合わせて行なわれることである。
【００１３】
最も好ましいのは、挿入結合柱の端部に開口を設けて二つの挿入足を形成し、尚且つ、少なくとも一つの挿入足には突出部を配置することである。
【考案の効果】
【００１４】
本考案の閉鎖装置の圧接構造は、二つの家具パーツの任意の一パーツが開鎖しない場合に、閉鎖装置を破損し定位が失効するのを防ぐという効果を有する。
【図面の簡単な説明】
【００１５】
【図１】本考案の第一実施例に関する配置図である。
【図２】本考案の第一実施例に関する嵌合ボルトの圧接台の案内通路に対する案内経路を示した図である。
【図３】本考案の第二実施例に関する分解図である。
【図４】本考案の第二実施例に関する組立図である。
【図５】本考案の第二実施例に関する嵌止体の挿入ノッチ図である。
【図６】本考案の第二実施例に関する定位フックを嵌止体の挿入ノッチ内に挿入した定位図である。
【図７】本考案の第二実施例に関する嵌合ボルトが圧接台の案内通路を経て嵌止体の圧接面を圧しているのを示した図である。
【図８】本考案の第二実施例に関して、強制力を受けて嵌合ボルトと嵌止体が向き合う方向に圧した時、嵌合ボルトが嵌止体の圧接面から離脱するのを示した図である。
【考案を実施するための形態】
【００１６】
図１及び図２は、本考案の第一実施例に関する閉鎖装置の圧接構造を示し、圧接構造は主に、嵌止体１０、定位フック１２、及び嵌合ボルト１４を備える。
【００１７】
その内、嵌止体１０は、圧接面１６、及び圧接面１６から延伸する案内面１８を含む。定位フック１２は嵌止体１０に連接し、定位フック１２は、弾力部２０と、弾力部２０から延伸する制止体２２を含む。制止体２２は圧接面１６に相隣し、案内面１８から離れた位置にある。嵌合ボルト１４は嵌止体１０に対応し、位置移動をして停滞している時、圧接面１６と定位フック１２の制止体２２をスライドして圧する。
【００１８】
本実施例において、嵌止体１０は、圧接台２４上に配置し、圧接台２４は、嵌止体１０の周囲を取り囲む案内通路２６と、嵌止体１０の圧接面１６と定位フック１２に対応する案内体２８を含む。その内、圧接台２４と嵌合ボルト１４が係合状態で動作する時、案内通路２６と案内体２８は、案内する嵌合ボルト１４を嵌止体１０に圧接させるか嵌止体１０から離脱させる役割を果たす。
【００１９】
本実施例において、定位フック１２は、嵌止体１０から一体化し延伸する。
【００２０】
本実施例において、定位フック１２の鄰側には緩衝空間３０を形成し、定位フック１２の弾力部２０は緩衝空間３０内で動作する。
【００２１】
図３及び図４には本考案の第二実施例を示す。図に示す通り、嵌止体２００は、挿入ノッチ２０２を備え、定位フック２０４は挿入結合柱２０６を連接して、独立した鈎状部材を構成する。定位フック２０４と挿入結合柱２０６間には、緩衝空間２０８を備え、鈎状部材は、挿入結合柱２０６によって挿入ノッチ２０２に挿入し、嵌止体２００に固定される。嵌止体２００は、さらに、挿入ノッチ２０２に繋がる凹溝２１０を備える。挿入結合柱２０４は突出体２１２を備え、挿入結合柱２０６を挿入ノッチ２０２に嵌合させる時、突出体２１２によって凹溝２１０に対する位置合わせをするため、また、組み合わせと固定作用を便利にするために、挿入結合柱２０６端部には、二つの鉤状部材は、方向を選択して嵌止体２００に挿着することができ、鉤状部材と嵌止体２００を正確に組み合わせられる。挿入足２１６を形成した開口２１４を設け、少なくとも一つの挿入足２１６の末端には突出部２１８を備え、嵌止体２００の挿入ノッチ２０２エッジには対応する凹孔２２０を配置する。前述は、図５及び図６に示す通りであるが、これによって、挿入足２１６末端の突出部２１８を凹孔２２０に嵌合状態で圧することができ、定位フック２０４の挿入結合柱２０６を挿入ノッチ２０２に挿入する際、さらにその固定が強化される。
【００２２】
第二実施例において、嵌止体２００はやはり圧接台２２２上に配置する。嵌止体２００には、圧接面２２４と、嵌止体２００を取り囲む案内通路２２６を含む圧接台２２２と、嵌止体２００の圧接面２２４と定位フック２０４に対応する案内体２２８とを配置する。前記実施例と同様、定位フック２０４には、弾力部２３２と、弾力部２３２から延伸する制止体２３４とを備える。
【００２３】
前記配置に基づいた図は図７の、鉤状部材を嵌止体２００に挿着した第二実施例に示すとおりであり、圧接台２２２と嵌合ボルト２３０は相対的に動作し、嵌合ボルト２３０は案内通路２２６によって案内されて嵌止体２００の圧接面２２４を圧した時、嵌合ボルト２３０もまた、定位フック２０４の制止体２３４の圧止を受けるため、嵌合ボルト２３０は、このような圧接位置に止まり、簡単に圧接位置から離脱することはない。
【００２４】
強制力によって嵌合ボルト２３０と嵌止体２００が向き合った状態で押圧される時、図８に示す通り、嵌合ボルト２３０は、圧接面２２４からスライド移動し、定位フック２０４の制止体２３４を圧する。制止体２３４は、弾力部２３２の湾曲変形によって嵌合ボルト２３０に強制的に押され、これにより、嵌合ボルト２３０は制止体２３４を越えて、圧接面２２４から離脱する。
【００２５】
前述の技術手段に基づき、本考案は、家具上の固定部材や可動部材間に応用できる。例えば、固定部材は、チェスト本体或いは固定レールとし、可動部材は引き出しや可動レールとする。次に、チェスト本体及び引き出しを例にとり説明を行なう。嵌止体１０（或いは２００）を含む圧接台２４（或いは２２２）は、チェスト本体に取り付けて固定することが可能であり、嵌合ボルト１４（或いは２３０）は、圧接台２４（或いは２２２）の案内通路２６（或いは２２６）に従い移動する方法で引き出しに取り付ける。引き出しを押してチェスト本体内にしまう時、嵌合ボルト１４（或いは２３０）は嵌止体１０（或いは２００）の圧接面１６（或いは２２４）を圧し、並びに、定位フック１２（或いは２０４）の制止体２２（或いは２３４）の圧止によって、一定の閉鎖位置を保持する。引き出しをチェスト本体方向にさらに押して挿入させる時、嵌合ボルト１４（或いは２３０）は、案内体２８（或いは２２８）の案内によって嵌止体１０（或いは２００）の圧接面１６（或いは２２４）から離脱するため、引き出しは、自由にチェスト本体から移動する。しかも、引き出しが、チェスト本体内から使用者に強制的に引っ張り出された時、嵌合ボルト１４（或いは２３０）もまた、嵌止体１０（或いは２００）の圧接面１６（或いは２２４）から離脱し、定位フック１２（或いは２０４）の制止体２２（或いは２３４）を損傷することなく、定位の失効を招くこともない。
【符号の説明】
【００２６】
１０    嵌止体
１２    定位フック
１４    嵌合ボルト
１６    圧接面
１８    案内面
２０    弾力部
２２    制止体
２４    圧接台
２６    案内通路
２８    案内体
３０    緩衝空間
２００  嵌止体
２０２  挿入ノッチ
２０４  定位フック
２０６  挿入結合柱
２０８  緩衝空間
２１０  凹溝
２１２  突出体
２１４  開口
２１６  挿入足
２１８  突出部
２２０  凹孔
２２２  圧接台
２２４  圧接面
２２６  案内通路
２２８  案内体
２３０  嵌合ボルト
２３２  弾力部
２３４  制止体
【図１】
0003169532.tif 000003
【図２】
0003169532.tif 000004
【図３】
0003169532.tif 000005
【図４】
0003169532.tif 000006
【図５】
0003169532.tif 000007
【図６】
0003169532.tif 000008
【図７】
0003169532.tif 000009
【図８】
0003169532.tif 000010